(57)【要約】【課題】測定器を変更したり、測定器の配置を変更する場合に、例えば、変更後の測定器の寸法や消費電力が、その測定器を収容予定の収容架（収容場所）の寸法や消費電力に合っているか否かを、判断することのできる試験システムを提供する。【解決手段】複数の測定器を収容可能な収容架を備えた試験システムを、各測定器の仕様を記憶する測定器情報テーブルと、収容架の仕様を記憶する収容架情報テーブルとを記憶しておき、測定器の画像と収容架の画像が表示部に表示された状態において、操作員から指定された測定器を指定された収容架へ配置する指示を受け付けると、前記指定された測定器が前記指定された収容架に収容可能であるかを判定し、収容不可と判定された場合に、収容不可である旨の報知メッセージを、表示部に表示するよう構成する。【選択図】図３
2011185851.tif 000002
【特許請求の範囲】
【請求項１】
複数の測定器と、該測定器を少なくとも1台以上収容可能な収容架と、測定器が収容架に収容可能か否かを判断する制御装置とを備えた試験システムであって、
前記制御装置は、表示部と、操作部と、記憶部と、制御部とを備え、
前記表示部は、前記収容架を表す画像と測定器を表す画像を表示するものであり、
前記操作部は、操作員から指定された測定器を指定された収容架へ配置する配置指示を受け付けるものであり、
前記記憶部は、各測定器の仕様を記憶する測定器情報テーブルと、収容架の仕様を記憶する収容架情報テーブルと、収容架の表示データを記憶する収容架表示データ記憶部と、測定器の表示データを記憶する測定器表示データ記憶部とを備え、
前記制御部は、測定器収容架読取部と、収容可否判定部と、表示制御部とを備え、
前記測定器収容架読取部は、前記操作部から指定された測定器と指定された収容架とを読取るものであり、
前記収容可否判定部は、前記測定器収容架読取部で読取った測定器が前記読取った収容架に収容可能であるかを判定するものであり、
前記表示制御部は、前記収容可否判定部で収容不可と判定された場合に、収容不可である旨の報知メッセージを、前記表示部に表示するよう制御するものである
ことを特徴とする試験システム。
【発明の詳細な説明】
【技術分野】
【０００１】
本発明は、試験対象器材に対し測定や試験を行うための試験システムに関し、特に、試験対象器材に対し測定や試験を行うための複数の測定器の配置位置を表示するとともに、該測定器の配置位置が変更可能であるか否かを判断することのできる試験システムに関する。
【背景技術】
【０００２】
所定の試験手順に従って測定器等の動作を制御し、試験対象である試験対象器材からの出力信号を測定する試験システムが知られている（例えば特許文献１参照）。この試験システムでは、試験システムの制御部が、各測定器の構成配置図を有しており、該構成配置図に基づいて、各測定器に関する表示や各試験対象器材の測定結果に関する表示を行っている。
【先行技術文献】
【特許文献】
【０００３】
【特許文献１】特開２００７−２９２７２３号公報
【発明の概要】
【発明が解決しようとする課題】
【０００４】
上記の従来の試験システムにおいては、制御部の保存する各測定器の構成配置図は固定されており、かつ、各測定器と制御部との接続関係も固定されていた。そのため、試験システムの構成を再構築して、測定器を変更する場合や測定器の配置を変更する場合は、変更後の測定器の寸法や消費電力が、その測定器を収容予定の収容架（収容場所）の寸法や消費電力に合っているか否かを、操作員が一々調べなければならないという課題があった。
本発明の目的は、上記の課題を解決し、測定器を変更したり、測定器の配置を変更する場合に、例えば、変更後の測定器の寸法や消費電力が、その測定器を収容予定の収容架（収容場所）の寸法や消費電力に合っているか否かを、判断することのできる試験システムを提供することにある。
【課題を解決するための手段】
【０００５】
上記の課題を解決するための、本願発明の試験システムの代表的な構成は、次のとおりである。すなわち、
複数の測定器と、該測定器を少なくとも1台以上収容可能な収容架と、測定器が収容架に収容可能か否かを判断する制御装置とを備えた試験システムであって、
前記制御装置は、表示部と、操作部と、記憶部と、制御部とを備え、
前記表示部は、前記収容架を表す画像と測定器を表す画像を表示するものであり、
前記操作部は、操作員から指定された測定器を指定された収容架へ配置する配置指示を受け付けるものであり、
前記記憶部は、各測定器の仕様を記憶する測定器情報テーブルと、収容架の仕様を記憶する収容架情報テーブルと、収容架の表示データを記憶する収容架表示データ記憶部と、測定器の表示データを記憶する測定器表示データ記憶部とを備え、
前記制御部は、測定器収容架読取部と、収容可否判定部と、表示制御部とを備え、
前記測定器収容架読取部は、前記操作部から指定された測定器と指定された収容架とを読取るものであり、
前記収容可否判定部は、前記測定器収容架読取部で読取った測定器が前記読取った収容架に収容可能であるかを判定するものであり、
前記表示制御部は、前記収容可否判定部で収容不可と判定された場合に、収容不可である旨の報知メッセージを、前記表示部に表示するよう制御するものである
ことを特徴とする試験システム。
【発明の効果】
【０００６】
このような構成によれば、実際に測定器の配置を変更する前に、配置変更の可否を容易に知ることができる。
【０００７】
前記試験システムにおいて、更に、前記制御部が、前記収容可否判定部で収容可能と判定された測定器の仕様に基づき、前記測定器情報テーブルを参照して、前記収容架情報テーブルを更新する収容架情報テーブル更新部を備えるようにすることもできる。
このように構成すると、例えば、1回目の測定器の配置変更において、収容架情報テーブルが更新されているので、２回目の測定器の配置変更を行う際に、配置変更の可否判断を容易に行うことができる。
【図面の簡単な説明】
【０００８】
【図１】本発明に係る試験システムの構成例を示す図である。
【図２】本発明に係る、測定器を収容架に配置した場合の表示画面例を示す図である。
【図３】本発明に係る制御装置の機能ブロックの構成例を示す図である。
【図４】本発明に係る測定器情報テーブルの構成例を示す図である。
【図５】本発明に係る収容架情報テーブルの構成例を示す図である。
【図６】本発明に係る制御装置で実行される処理例を示すフローチャートである。
【図７】本発明に係る制御装置で実行される処理例を示すフローチャートである。
【発明を実施するための形態】
【０００９】
以下、本発明に係る試験システムの実施例について、図面を参照して説明する。図１は、本発明に係る試験システムの構成例を示す図である。図１の例では、試験システムは、制御装置１０、複数の測定器１１、試験対象である電子機器等の試験対象機材１２、試験対象機材１２に接続する測定器１１を、複数の測定器１１の中から選択して切り換えるための信号切換器１３、接続部１４、切換使用部１５を備えている。信号切換器１３、接続部１４、切換使用部１５は、リレーにより測定経路の切換を行うものである。
複数の測定器１１には、測定器１１（１）である専用試験器Ａ、測定器１１（２）である専用試験器Ｂ、測定器１１（３）である専用試験器Ｃ、測定器１１（４）である専用試験器Ｄ、測定器１１（５）である汎用測定器（ＳＧ：信号発生器）、測定器１１（６）である汎用測定器（スペクトルアナライザ）等が含まれる。
【００１０】
制御装置１０と測定器１１との間、及び制御装置１０と信号切換器１３、接続部１４、切換使用部１５との間は、ＬＡＮ（Ｌｏｃａｌ  Ｅｒｅａ  Ｎｅｔｏｗｏｒｋ）、あるいはＧＰ―ＩＢ（Ｇｅｎｅｒａｌ  Ｐｕｒｐｏｓｅ  Ｉｎｔｅｒｆａｃｅ  Ｂｕｓ）によりケーブル接続され、制御信号を通信可能としている。本例では、制御装置１０は、無線機等の試験対象器材１２に対し、試験信号を出力して、予め決められた測定項目について自動的に試験を行い、試験で得た測定値に基づいて試験対象器材１２の動作が正常であるか否かを判定し、その判定結果を、試験対象器材１２の実際の配置位置に対応させて表示する。測定器１１や試験対象器材１２は、例えば、ラック等の収容架に多段に配置されており、例えば、図２のように表示される。図２は、測定器１１や制御装置１０を収容架５に配置した場合の表示画面例を示す図である。
【００１１】
本実施例における制御装置１０の機能ブロック図を図３に示す。図３は、本発明に係る制御装置１０の機能ブロックの構成例を示す図である。制御装置１０は、本実施例においては、試験システム全体の制御、測定結果の良否判定や表示制御等を行う制御部（コンピュータ）２０と、測定器１１の配置位置等を表示する表示手段としての表示部１８と、キーボードやマウスなどの操作部１７と、後述する記憶部３０などを備えている。
【００１２】
制御部２０は、本実施例においては、ＣＰＵ（Ｃｅｎｔｒａｌ  ＰｒｏｃｅｓｓｉｎｇＵｎｉｔ）とメモリをハードウェア構成として備えている。このメモリには、試験対象器材１２の試験手順が記述された試験プログラムや、測定器１１や試験対象器材１２のそれぞれを表す画像を測定器１１や試験対象器材１２の実際の配置位置に対応させて表示させる表示動作の処理手順が記述された配置位置表示プログラムなどが記憶されている。
メモリに記憶された各プログラムは、ＣＰＵに読み込まれて実行される。表示部１８には、ＣＰＵで実行されるプログラム処理に応じ、測定項目や測定結果、収容架を表す画像と測定器を表す画像を含む配置位置状態などの情報が表示される。操作部１７は、操作員から指定された測定器を指定された収容架へ配置する配置指示等の、操作者による各種の指示入力を受け付けるものであり、タッチパネルのように表示部１８と一体に構成してもよい。
【００１３】
図３に示すように、制御装置１０の記憶部３０は、各測定器１１の仕様を記憶する測定器情報テーブル３１と、収容架５の仕様を記憶する収容架情報テーブル３２と、収容架５を表す画像等の表示データを記憶する収容架表示データ記憶部３３と、測定器１１を表す画像等の表示データを記憶する測定器表示データ記憶部３４とを備える。ここで、測定器１１の仕様とは、例えば、測定器１１の寸法サイズ、重量、消費電力、接続ケーブル種類等を意味する。また、収容架５の仕様とは、例えば、収容架５が収容可能な寸法サイズ、収容可能な重量（耐荷重）、最大電力容量、保有している接続ケーブル等を意味する。
なお、図２に示すような収容架５では、測定器１１（１）である専用試験器Ａ、測定器１１（１）である専用試験器Ａ、測定器１１（２）である専用試験器Ｂ、測定器１１（３）である専用試験器Ｃ、測定器１１（４）である専用試験器Ｄの横方向の寸法（横幅）が同一、あるいは、全ての試験器の横方向（及び奥行方向）の寸法が収容架の寸法（内寸）よりも小さく設定されている場合は、測定器１１の寸法サイズや収容架５の寸法サイズは、縦方向の寸法を規定すればよい。
【００１４】
図４に、本発明に係る測定器情報テーブル３１の構成例を示す。図４の測定器情報テーブル３１において、専用試験器Ａについては、縦方向の寸法ｓａ（ｍｍ）、消費電力ｐａ（Ｗ）が記憶され、専用試験器Ｂについては、縦方向の寸法ｓｂ（ｍｍ）、消費電力ｐｂ（Ｗ）が記憶され、専用試験器Ｃについては、縦方向の寸法ｓｃ（ｍｍ）、消費電力ｐｃ（Ｗ）が記憶されている。測定器情報テーブル３１は、オペレータにより操作部１７から入力され、あるいは記憶媒体から読み込まれて登録される。
【００１５】
図５に、本発明に係る収容架情報テーブル３２の構成例を示す。図５の収容架情報テーブル３２において、収容架５（１）には、収容可能な縦方向の寸法ｓ１ｘ（ｍｍ）、使用可能な電力容量ｐ１ｘ（Ｗ）が記憶され、実装位置１には既に専用試験器Ａが実装され、実装位置２には既に専用試験器Ｂが実装され、実装位置３〜５は未実装であることが示されている。また、収容架５（２）には、収容可能な縦方向の寸法ｓ２ｘ（ｍｍ）、使用可能な電力容量ｐ２ｘ（Ｗ）が記憶され、実装位置１には既に専用試験器Ｃが実装され、実装位置２には既に専用試験器Ｄが実装され、実装位置３〜５は未実装であることが示されている。
【００１６】
また、図３に示すように、制御装置１０の制御部２０は、測定器収容架読取部２１と、収容可否判定部２２と、収容架情報テーブル更新部２３と、表示制御部２４とを備えている。
測定器収容架読取部２１は、操作部１７により指定された測定器１１と収容架５とを読取るものである。操作者が、操作部１７により、測定器１１と収容架５とを指定する方法としては、例えば、表示部１８の画面上に表示された測定器１１の画像を、表示部１８の画面上に表示された収容架５の画像に、マウスをドラッグアンドドロップ操作することにより指定することができる。もちろん、キーボード等を用いる他の方法により指定してもよい。
【００１７】
収容可否判定部２２は、測定器収容架読取部２１で読取った測定器１１が、測定器収容架読取部２１で読取った収容架５に収容可能であるかを判定するものである。この判定においては、読取った測定器１１の仕様を、読取った収容架５の仕様と比較することにより行う。例えば、読取った測定器１１の寸法サイズ（縦方向の寸法）を、読取った収容架５で収容可能な寸法サイズ（縦方向の寸法）と比較する。あるいは、読取った測定器１１の消費電力を、読取った収容架５で使用可能な電力容量と比較する。あるいは、読取った測定器１１の接続ケーブルの種類を、読取った収容架５で使用可能な接続ケーブルの種類と比較する。
【００１８】
収容架情報テーブル更新部２３は、収容可否判定部２２で収容可能と判定された測定器１１の仕様に基づき、測定器情報テーブル３１を参照して、収容架情報テーブル３２を更新するものである。例えば、読取った測定器１１の寸法サイズ（縦方向の寸法）がｓａ（ｍｍ）の場合、読取った収容架５（１）で収容可能な寸法サイズ（縦方向の寸法）であるｓ１ｘ（ｍｍ）から差し引き、その後に収容可能な収容架５の寸法サイズ（縦方向の寸法）である（ｓ１ｘ−ｓａ）（ｍｍ）を、収容架情報テーブル３２に更新、記憶する。こうすることにより、次に読取る測定器１１が収容架５に収容可能であるかを判定することができる。
【００１９】
表示制御部２４は、収容可否判定部２２で収容不可と判定された場合に、収容不可である旨の報知メッセージを、表示部１８に表示するよう制御するものである。この報知メッセージは、予め、記憶部３０に記憶しておくこともできる。
【００２０】
次に、本発明の実施形態に係る処理例を、図６、図７のフローチャートを用いて説明する。図６、図７は、本発明に係る制御装置で実行される処理例を示すフローチャートである。なお、図６、図７においては、収容架５（１）、収容架５（２）を、それぞれ、収容架１、収容架２と表示している。
図６のＳ１ステップにおいて、制御装置１０の制御部２０がオペレータにより起動され、Ｓ２ステップにおいて、制御部２０は、初期設定として、収容架５に実装されている測定器１１の種類と該測定器１１の実装位置とを読み込み、測定器情報テーブル３１を参照して、収容架情報テーブル３２を作成、更新する。また、測定器情報テーブル３１に記憶されている測定器１１の画像が、アイコンとして表示部１８に表示され、収容架情報テーブル３２に記憶されている収容架５の画像が、表示部１８に表示される。
【００２１】
次に、Ｓ３ステップにおいて、操作者の操作で、操作部１７のマウスにより表示部１８に表示されている特定の測定器１１のアイコンが指定されてドラッグされ、Ｓ４ステップにおいて、収容架５（１）にドロップしたか否かを判断する。収容架５（１）にドロップしなかった場合は、図7のＳ２１ステップに遷移する。
【００２２】
収容架５（１）にドロップした場合（Ｓ４ステップでＹｅｓ）は、Ｓ５ステップにおいて、前記特定の測定器１１の寸法が、収容架５（１）の収容可能寸法、例えば図５の収容架情報テーブル３２の収容可能な縦寸法であるｓ１ｘ（ｍｍ）をオーバーしていないか否かを判断する。収容架５（１）の収容可能寸法をオーバーしている場合は、Ｓ９ステップにおいて、寸法ＮＧの旨のエラー表示を表示部１８に表示し、Ｓ３ステップに戻る。
収容架５（１）の収容可能寸法をオーバーしていない場合（Ｓ５ステップでＮｏ）は、Ｓ６ステップにおいて、収容架情報テーブル３２の収容可能な縦寸法であるｓ１ｘ（ｍｍ）に、前記特定の測定器１１の寸法を加算する。
次に、Ｓ７ステップにおいて、前記特定の測定器１１の消費電力が、収容架５（１）の使用可能な電力容量、例えば図５の収容架情報テーブル３２の使用可能な電力容量であるｐ１ｘ（Ｗ）をオーバーしていないか否かを判断する。収容架５（１）の使用可能な電力容量をオーバーしている場合は、Ｓ１０ステップにおいて、消費電力ＮＧの旨のエラー表示を表示部１８に表示し、Ｓ３ステップに戻る。
収容架５（１）の使用可能な電力容量をオーバーしていない場合（Ｓ７ステップでＮｏ）は、Ｓ８ステップにおいて、収容架情報テーブル３２の使用可能な電力容量であるｐ１ｘ（Ｗ）に、前記特定の測定器１１の消費電力を加算し、図７のＳ２６ステップに遷移する。
【００２３】
前記Ｓ４ステップにおいて収容架５（１）にドロップしなかった場合は、図７のＳ２１ステップにおいて、収容架５（２）にドロップしたか否かを判断する。収容架５（２）にドロップしなかった場合は、図６のＳ３ステップに戻る。
【００２４】
収容架５（２）にドロップした場合（Ｓ２１ステップでＹｅｓ）は、Ｓ２２ステップにおいて、前記特定の測定器１１の寸法が、収容架５（２）の収容可能寸法、例えば図５の収容架情報テーブル３２の収容可能な縦寸法であるｓ２ｘ（ｍｍ）をオーバーしていないか否かを判断する。収容架５（２）の収容可能寸法をオーバーしている場合は、Ｓ２９ステップにおいて、寸法ＮＧの旨のエラー表示を表示部１８に表示し、Ｓ３ステップに戻る。
収容架５（２）の収容可能寸法をオーバーしていない場合（Ｓ２２ステップでＮｏ）は、Ｓ２３ステップにおいて、収容架情報テーブル３２の収容可能な縦寸法であるｓ２ｘ（ｍｍ）に、前記特定の測定器１１の寸法を加算する。
【００２５】
次に、Ｓ２４ステップにおいて、前記特定の測定器１１の消費電力が、収容架５（２）の使用可能な電力容量、例えば図５の収容架情報テーブル３２の使用可能な電力容量であるｐ２ｘ（Ｗ）をオーバーしていないか否かを判断する。収容架５（２）の使用可能な電力容量をオーバーしている場合は、Ｓ３０ステップにおいて、消費電力ＮＧの旨のエラー表示を表示部１８に表示し、Ｓ３ステップに戻る。
収容架５（２）の使用可能な電力容量をオーバーしていない場合（２４ステップでＮｏ）は、Ｓ２５ステップにおいて、収容架情報テーブル３２の使用可能な電力容量であるｐ２ｘ（Ｗ）に、前記特定の測定器１１の消費電力を加算する。
【００２６】
次に、Ｓ２６ステップにおいて、操作部１７の登録ボタンが押下されると、Ｓ２７ステップにおいて、Ｓ６ステップやＳ８ステップで加算された、あるいは、Ｓ２３ステップやＳ２５ステップで加算された収容架情報テーブル３２の寸法情報や電力容量情報が更新され、測定器実装位置情報が更新され、Ｓ２８ステップにおいて処理が終了する。操作部１７の登録ボタンが押下されなかった場合は、Ｓ３ステップに戻る。
【００２７】
以上述べた本発明の構成によれば、実際に測定器の配置を変更する前に、配置変更の可否を容易に知ることができる。
なお、本発明は、本発明に係る処理を実行するシステムとしてだけでなく、方法や装置として、或いは、このような方法やシステムを実現するためのプログラムや当該プログラムを記録する記録媒体として把握することもできる。
【符号の説明】
【００２８】
５：収容架、１０：制御装置、１１：測定器、１２：試験対象器材、１３：信号切換器、１４：接続部、１５：切換使用部、１７：操作部、１８：表示部、２０：制御部、２１：測定器収容架読取部、２２：収容可否判定部、２３：収容架情報テーブル更新部、２４：表示制御部、３０：記憶部、３１：測定器情報テーブル、３２：収容架情報テーブル、３３：収容架表示データ記憶部、３４：測定器表示データ記憶部。
【図１】
2011185851.tif 000003
【図２】
2011185851.tif 000004
【図３】
2011185851.tif 000005
【図４】
2011185851.tif 000006
【図５】
2011185851.tif 000007
【図６】
2011185851.tif 000008
【図７】
2011185851.tif 000009